【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
通信データを送信又は受信する複数の通信端末の各々の宛先を示す宛先情報を管理する通信管理システムと、前記複数の通信端末のいずれかの要求元の通信端末と、を有する通信システムにおいて、
前記通信管理システムは、
第一の通信方式に基づいて通信データを送信又は受信する通信端末ごとに、同じ前記第一の通信方式を利用する前記通信端末の宛先を示す第一の宛先情報又は前記第一の通信方式とは異なる第二の通信方式を利用する前記通信端末の宛先を示す第二の宛先情報を関連付けて管理する宛先情報管理手段と、
前記第一の宛先情報と、前記通信端末の状態情報を関連付けて管理する状態管理手段と、
前記要求元の通信端末に関連付けられた前記第一又は第二の宛先情報を、前記要求元の通信端末へ送信する送信手段と、
を有し、
前記送信手段は、前記要求元の通信端末へ送信する宛先情報が前記第一の宛先情報の場合には、該第一の宛先情報に関連付けられた前記通信端末の状態情報を前記要求元の通信端末へ送信し、
前記要求元の通信端末は、
前記通信管理システムから受信した前記第一の宛先情報に対応する前記通信端末の宛先を表示画面へ表示させる場合には、当該通信端末の宛先と前記通信端末の状態情報とを対応付けて表示させ、
前記通信管理システムから受信した前記第二の宛先情報に対応する前記通信端末の宛先を表示画面へ表示させる場合には、当該通信端末の宛先と前記第二の宛先情報に対応する前記通信端末が利用する通信方式が前記要求元の通信端末が利用する通信方式ではない旨を示す情報とを対応付けて表示させる表示制御手段を有することを特徴とする通信システム。
【請求項２】
前記第一及び第二の通信方式は、前記通信端末の宛先と接続又は切断をするための呼制御方式と、前記通信データをＩＰパケット化するための符号化方式とでそれぞれ示され、
前記第一の通信方式と前記第二の通信方式は、前記呼制御方式と前記符号化方式のうち少なくとも一方が異なることを特徴とする請求項１に記載の通信システム。
【請求項３】
前記状態管理手段は、前記通信端末ごとに、当該通信端末の名称を示す端末名情報を管理し、
前記送信手段は、前記要求元の通信端末へ、前記宛先情報及び当該宛先情報に対応する端末名情報を送信する
ことを特徴とする請求項１又は２に記載の通信システム。
【請求項４】
前記符号化方式は、映像データの符号化方式であることを特徴とする請求項２に記載の通信システム。
【請求項５】
前記映像データの符号化方式は、少なくともH.264/SVC及びH.264/AVCのいずれか一方であることを特徴とする請求項４に記載の通信システム。
【請求項６】
前記通信管理システムはさらに、
前記通信端末の状態情報又は前記第二の宛先情報に対応する前記通信端末が利用する通信方式が前記要求元の通信端末が利用する通信方式ではない旨を示す情報を表示させた前記要求元の通信端末の宛先選択画面において、受け付けた前記通信端末の宛先の選択に応じて、選択された前記通信端末の宛先との通信を開始する要求を示す開始要求情報を前記要求元の通信端末から受信する受信手段を有することを特徴とする請求項１乃至５のいずれか一項に記載の通信システム。
【請求項７】
前記要求元の通信端末は、
前記第一の宛先情報に対応する前記通信端末が利用する通信方式が前記要求元の通信端末が利用する通信方式である旨を視覚的に示す第１の視覚情報と、前記通信端末の状態情報とを関連付けて管理するとともに、前記第二の宛先情報に対応する前記通信端末が利用する通信方式が前記要求元の通信端末が利用する通信方式ではない旨を示す情報と、前記第１の視覚情報とは視覚的に異なる第２の視覚情報とを関連付けて管理する視覚情報管理手段と、
前記通信管理システムから、前記通信端末の状態情報を受信した場合に、前記視覚情報管理手段から前記通信端末の状態情報に関連付けられた前記第１の視覚情報を抽出すると共に、前記通信管理システムから、前記通信端末が利用する通信方式が前記要求元の通信端末が利用する通信方式ではない旨を示す情報を受信した場合に、前記視覚情報管理手段から前記通信端末が利用する通信方式が前記要求元の通信端末が利用する通信方式ではない旨を示す情報に関連付けられた前記第２の視覚情報を抽出し、前記第１又は第２の視覚情報を反映させた宛先リストを作成する宛先リスト作成手段と、
を有することを特徴とする請求項１乃至６のいずれか一項に記載の通信システム。
【請求項８】
前記第１の視覚情報は、前記通信端末の稼動状態情報毎に、視覚的に異なる視覚情報を含み、
前記宛先リスト作成手段は、前記通信管理システムから受信した稼動状態情報に基づいて、前記視覚情報管理手段を検索することにより、対応する前記第１の視覚情報を抽出して、前記宛先リストを作成する
ことを特徴とする請求項７に記載の通信システム。
【請求項９】
前記第１の視覚情報及び前記第２の視覚情報は、それぞれ異なる形態のアイコンであることを特徴とする請求項８に記載の通信システム。
【請求項１０】
前記通信端末の状態情報は、オンラインであることを示す状態情報を含むことを特徴とする請求項１乃至９のいずれか一項に記載の通信システム。
【請求項１１】
前記第二の通信方式は、少なくともＳＩＰ又はＨ．３２３のいずれかであることを特徴とする請求項１乃至１０のいずれか一項に記載の通信システム。
【請求項１２】
前記通信管理システムは、１以上のコンピュータによって構築されていることを特徴と
する請求項１乃至１１のいずれか一項に記載の通信システム。
【請求項１３】
通信データを送信又は受信する複数の通信端末の各々の宛先を示す宛先情報を管理する通信管理システムと、前記複数の通信端末のいずれかの要求元の通信端末と、を有する通信システムが実行する通信方法において、
前記通信管理システムは、
第一の通信方式に基づいて通信データを送信又は受信する通信端末ごとに、同じ前記第一の通信方式を利用する前記通信端末の宛先を示す第一の宛先情報又は前記第一の通信方式とは異なる第二の通信方式を利用する前記通信端末の宛先を示す第二の宛先情報を関連付けて管理する宛先情報管理手段と、
前記第一の宛先情報と、前記通信端末の状態情報を関連付けて管理する状態管理手段と、
を有し、
前記通信管理システムは、
前記要求元の通信端末に関連付けられた前記第一又は第二の宛先情報を、前記要求元の通信端末へ送信し、
前記要求元の通信端末へ送信する宛先情報が前記第一の宛先情報の場合には、該第一の宛先情報に関連付けられた前記通信端末の状態情報を前記要求元の通信端末へ送信する送信ステップを実行し、
前記要求元の通信端末は、
前記通信管理システムから受信した前記第一の宛先情報に対応する前記通信端末の宛先を表示画面へ表示させる場合には、当該通信端末の宛先と前記通信端末の状態情報とを対応付けて表示させ、
前記通信管理システムから受信した前記第二の宛先情報に対応する前記通信端末の宛先を表示画面へ表示させる場合には、当該通信端末の宛先と前記第二の宛先情報に対応する前記通信端末が利用する通信方式が前記要求元の通信端末が利用する通信方式ではない旨を示す情報とを対応付けて表示させる表示制御ステップ
を実行することを特徴とする通信方法。
【請求項１４】
コンピュータに、請求項１３に記載の各ステップを実行させることを特徴とするプログラム。
【手続補正２】
【補正対象書類名】明細書
【補正対象項目名】発明の名称
【補正方法】変更
【補正の内容】
【発明の名称】通信システム、通信方法及びプログラム
【手続補正３】
【補正対象書類名】明細書
【補正対象項目名】０００７
【補正方法】変更
【補正の内容】
【０００７】
請求項１に係る発明は、通信データを送信又は受信する複数の通信端末の各々の宛先を示す宛先情報を管理する通信管理システムと、前記複数の通信端末のいずれかの要求元の通信端末と、を有する通信システムにおいて、前記通信管理システムは、第一の通信方式に基づいて通信データを送信又は受信する通信端末ごとに、同じ前記第一の通信方式を利用する前記通信端末の宛先を示す第一の宛先情報又は前記第一の通信方式とは異なる第二の通信方式を利用する前記通信端末の宛先を示す第二の宛先情報を関連付けて管理する宛先情報管理手段と、前記第一の宛先情報と、前記通信端末の状態情報を関連付けて管理する状態管理手段と、前記要求元の通信端末に関連付けられた前記第一又は第二の宛先情報を、前記要求元の通信端末へ送信する送信手段と、を有し、前記送信手段は、前記要求元の通信端末へ送信する宛先情報が前記第一の宛先情報の場合には、該第一の宛先情報に関連付けられた前記通信端末の状態情報を前記要求元の通信端末へ送信し、前記要求元の通信端末は、前記通信管理システムから受信した前記第一の宛先情報に対応する前記通信端末の宛先を表示画面へ表示させる場合には、当該通信端末の宛先と前記通信端末の状態情報とを対応付けて表示させ、前記通信管理システムから受信した前記第二の宛先情報に対応する前記通信端末の宛先を表示画面へ表示させる場合には、当該通信端末の宛先と前記第二の宛先情報に対応する前記通信端末が利用する通信方式が前記要求元の通信端末が利用する通信方式ではない旨を示す情報とを対応付けて表示させる表示制御手段を有することを特徴とする通信システムである。